(57)【要約】【課題】刃の中に入った毛屑を容易に掃除することのできる鼻毛カッターを提供する。【解決手段】鼻毛カッター１０の本体ケース１５の内部には、内刃回転体を収容するとともに鼻毛の毛屑を捕集するための内部空間と、該内部空間を外部に開口させて毛屑を外部に排出する排出孔１５Ｅとが形成されている。本体ケース１５には、排出孔１５Ｅを開閉自在とするリング状のシャッター部材１９が取り付けられる。シャッター部材１９には、排出孔１５Ｅと外部とを連通する連通部１９Ｃが設けられている。シャッター部材１９において排出孔１５Ｅを閉状態としている周方向の位置を基準位置として、シャッター部材１９は、基準位置から１回転より少ない回転量によって排出孔１５Eを開状態とする。【選択図】図１
2011200460.tif 000002
【特許請求の範囲】
【請求項１】
ケース部材に支持される外刃と該外刃に収容される内刃とを有し、該内刃を支持してなる内刃回転体を駆動源の駆動により回転させ、前記外刃と内刃との間で鼻毛を挟み切るように構成された鼻毛カッターであって、
前記ケース部材には、前記内刃回転体を収容するとともに前記鼻毛の毛屑を捕集するための内部空間と、該内部空間を外部に開口させて毛屑を外部に排出する排出孔とが形成されるとともに、前記排出孔を開閉するリング状のシャッター部材が取り付けられ、
前記シャッター部材は、前記ケース部材に対して回転可能であるとともに、回転操作により前記排出孔を開閉するものであり、
前記シャッター部材には、前記排出孔と外部とを連通する連通部が設けられ、
前記シャッター部材において前記排出孔と前記連通部とが連通していない周方向の位置を基準位置として、前記シャッター部材は、前記基準位置から１回転より少ない回転量によって前記排出孔と前記連通部とを連通する
ことを特徴とする鼻毛カッター。
【請求項２】
請求項１に記載の鼻毛カッターにおいて、
前記ケース部材は、使用者が把持する本体ケースを含み、
前記内刃回転体には、水流ファン部が設けられ、
前記本体ケースには、前記駆動源の駆動および停止を切り替える電源スイッチが設けられ、
当該鼻毛カッターの周方向において、前記排出孔が前記電源スイッチと異なる位置に設けられる
ことを特徴とする鼻毛カッター。
【請求項３】
請求項２に記載の鼻毛カッターにおいて、
前記本体ケースには、前記排出孔に対して前記外刃とは反対側に延びる筒状にて形成されるとともに、使用者が把持する把持部が設けられる
ことを特徴とする鼻毛カッター。
【請求項４】
請求項１〜３のいずれか一項に記載の鼻毛カッターにおいて、
当該鼻毛カッターは、前記外刃を覆う刃保護キャップを備え、
前記シャッター部材には、前記刃保護キャップを当該鼻毛カッターに対して保持するキャップ保持部が設けられる
ことを特徴とする鼻毛カッター。
【発明の詳細な説明】
【技術分野】
【０００１】
本発明は、洗浄可能な構造を有する鼻毛カッターに関するものである。
【背景技術】
【０００２】
従来、例えば特許文献１にて示されているように、使用者の鼻孔に刃部を挿入して鼻毛を切断する鼻毛カッターが知られている。このような鼻毛カッターの刃部は、鼻孔内への挿入に適した略円筒状の外刃（固定刃）と、本体内部に備えられるモータによりその外刃の内側で回転される内刃（可動刃）と、内刃を収容する内刃収容凹部とを有する。内刃収容凹部は、鼻毛の毛屑を捕集する空間としても機能しており、その空間内に鼻毛の毛屑が捕集される。そして、捕集された鼻毛の毛屑が使用者によって任意の時期に本体内部から除去されることで、鼻毛カッターの清潔性が保たれる。
【先行技術文献】
【特許文献】
【０００３】
【特許文献１】特許４２０３６７０号公報
【特許文献２】実公昭５９−１６０６０号公報
【発明の概要】
【発明が解決しようとする課題】
【０００４】
ところで、内刃およびその支持部材にあっては特に入り組んだ複雑な形状をなすため、鼻毛の毛屑が多く付着してその除去が難しく、付属のブラシ等を使っても十分に除去するのは非常に煩雑である。
【０００５】
そこで、刃部およびその周囲部品を分解可能に構成し、水等の洗浄液を使用して洗浄する方法が知られている。しかしながら、この方法では、分解する作業が煩雑であるのと、内刃およびその支持部分は比較的小型の部品で且つ鋭利な部品でもあるため、取り扱いが難しいという点においてもその分解作業や洗浄作業を煩雑としている。
【０００６】
一方、特許文献２は、回転式乾式かみそりにおいて、排出部に連通可能な通孔が設けられた開閉機構を、回転式にて本体に装着される外刃ホルダに設けている。そして、洗浄液にて本体内のひげを除去する場合に、外刃ホルダを本体から外す方向に回転させて排出部と通孔とを連通させることにより、洗浄液とともにひげを外部に排出させる。これにより、外刃ホルダを本体から完全に外すことなく、ひげを除去することが可能となる。
【０００７】
このような特許文献２の構成を鼻毛カッターに適用することが考えられる。しかしながら、特許文献２の構成では、排出部と通孔との軸方向位置（上下方向位置）が互いに異なるため、排出部と通孔とを連通させるために外刃ホルダを何周も回転させる操作が必要となる。その結果、洗浄作業の煩雑さの抑制には改善の余地があった。
【０００８】
本発明は、上記実情に鑑みてなされたものであり、その目的とするところは、刃の中に入った毛屑を容易に掃除することのできる鼻毛カッターを提供することにある。
【課題を解決するための手段】
【０００９】
本発明の鼻毛カッターは、ケース部材に支持される外刃と該外刃に収容される内刃とを有し、該内刃を支持してなる内刃回転体を駆動源の駆動により回転させ、前記外刃と内刃との間で鼻毛を挟み切るように構成され、前記ケース部材には、前記内刃回転体を収容するとともに前記鼻毛の毛屑を捕集するための内部空間と、該内部空間を外部に開口させて毛屑を外部に排出する排出孔とが形成されるとともに、前記排出孔を開閉するリング状のシャッター部材が取り付けられ、前記シャッター部材は、前記ケース部材に対して回転可能であるとともに、回転操作により前記排出孔を開閉するものであり、前記シャッター部材には、前記排出孔と外部とを連通する連通部が設けられ、前記シャッター部材において前記排出孔と前記連通部とが連通していない周方向の位置を基準位置として、前記シャッター部材は、前記基準位置から１回転より少ない回転量によって前記排出孔と前記連通部とを連通することを特徴とする。
【００１０】
この鼻毛カッターにおいて、前記ケース部材は、使用者が把持する本体ケースを含み、前記内刃回転体には、水流ファン部が設けられ、前記本体ケースには、前記駆動源の駆動および停止を切り替える電源スイッチが設けられ、当該鼻毛カッターの周方向において、前記排出孔が前記電源スイッチと異なる位置に設けられることが好ましい。
【００１１】
この鼻毛カッターにおいて、前記本体ケースには、前記排出孔に対して前記外刃とは反対側に延びる筒状にて形成されるとともに、使用者が把持する把持部が設けられることが好ましい。
【００１２】
この鼻毛カッターにおいて、当該鼻毛カッターは、前記外刃を覆う刃保護キャップを備え、前記シャッター部材には、前記刃保護キャップを当該鼻毛カッターに対して保持するキャップ保持部が設けられることが好ましい。
【発明の効果】
【００１３】
本発明によれば、刃の中に入った毛屑を容易に掃除することのできる鼻毛カッターを提供することができる。
【図面の簡単な説明】
【００１４】
【図１】（ａ）  （ｂ）本実施形態における鼻毛カッターを示す斜視図である。
【図２】鼻毛カッターの刃部を示す分解図である。
【図３】鼻毛カッターの刃部およびその周囲を示す断面図である。
【図４】（ａ）  （ｂ）鼻毛カッターの排出孔部分を説明するための説明図である。
【図５】（ａ）  （ｂ）鼻毛カッターの排出孔の開状態を説明するための説明図である。
【図６】（ａ）  （ｂ）鼻毛カッターの排出孔の閉状態を説明するための説明図である。
【図７】鼻毛カッターの洗浄例を説明するための説明図である。
【図８】鼻毛カッターの洗浄例を説明するための説明図である。
【発明を実施するための形態】
【００１５】
以下、本発明を具体化した一実施形態を図面に従って説明する。
図１は、本実施形態の鼻毛カッターを示す。なお、図１（ｂ）では、刃保護キャップを省略して示している。
【００１６】
鼻毛カッター１０は、全体が細長略円柱状をなしており、使用者の手で把持可能な本体部１１と、該本体部１１の先端側（長手方向一端側）に構成される刃部１２と、刃部１２を覆う刃保護キャップ２７とを備えている。本体部１１の基端側（長手方向他端側）は、把持し易い外観形状にて形成される把持部１３として構成されている。本体部１１の略中央には、その把持部１３と隣接するようにしてスライド式のスイッチ１４が設けられている。スイッチ１４は、本体部１１の外部を構成する本体ケース１５に対して防水構造をなして取り付けられている。
【００１７】
本体部１１（本体ケース１５）の内部には、図３に示すように、駆動モータ１６が収容されている。このモータ１６の回転軸１６Ａは、本体部１１の長手方向に沿うようにして本体部１１の略中央部分（スイッチ１４の内側）に配置されている。駆動モータ１６への電源供給のための図示しない電池は、本体部１１の把持部１３（図１参照）の内側に収容されるとともに、スイッチ１４のオン操作に基づきその電池から駆動モータ１６に駆動電源が供給されるようになっている。
【００１８】
回転軸１６Ａは、刃部１２が構成される本体部１１の先端側に突出するとともに継手１７が圧入固定されている。回転軸１６Ａが金属製に対し、この継手１７は樹脂製となっている。継手１７の先端部には、刃部１２を構成する内刃回転体２３が回転方向に係合するように着脱可能に装着されている。刃部１２は、詳細構成は後述するが、図２に示すように、固定刃となる外刃２１が外刃フレーム２２に装着されてなる外刃体２０と、可動刃となる内刃２４が内刃基台２５に装着されてなる内刃回転体２３とを備えている。
【００１９】
本体ケース１５の先端部には、図３および図４に示すように、刃部１２を構成する外刃フレーム２２が外嵌される円環状の装着部１５Ａが形成されている。装着部１５Ａの内側には、その高さよりも若干深い凹設部１５Ｂが形成されている。凹設部１５Ｂは、外刃体２０（図３参照）の内側に設けられる内刃収容凹部２０Ａ（図３参照）と連通して内部空間Ｘを構成するとともに、鼻毛の毛屑を捕集する空間として機能する。
【００２０】
図３に示すように、凹設部１５Ｂの底面は、駆動モータ１６を収容するモータ収容部１５Ｃ側との仕切りとなっている。この底面の中央には、回転軸１６Ａおよび継手１７を内部空間Ｘ側に突出させる貫通孔１５Ｄが設けられている。なお、モータ収容部１５Ｃにおける貫通孔１５Ｄの近傍には、回転軸１６Ａと本体ケース１５との間を密着するＭ型パッキン１８が備えられている。このパッキン１８にて、内部空間Ｘ側から貫通孔１５Ｄを介して浸入する鼻毛の毛屑や洗浄液等の異物がそれ以上に浸入することが防止されている。
【００２１】
また、本体ケース１５における装着部１５Ａの近傍には、その内外を貫通する排出孔１５Ｅが１つ設けられている。排出孔１５Ｅは凹設部１５Ｂと接続されている。排出孔１５Ｅは、スイッチ１４とは１８０°反対側において外側に開口している。なお、排出孔１５Ｅは、本体ケース１５に取り付けられるリング状のシャッター部材１９にてその開閉が可能となっている。
【００２２】
凹設部１５Ｂの平面視において（図４（ａ）参照）、排出孔１５Ｅの内側開口部における時計回り側の側辺には、側壁部１５Ｆが設けられている。側壁部１５Ｆは、装着部１５Ａの内周面および凹設部１５Ｂの底面と接続されている。側壁部１５Ｆの径方向内側端部は排出孔１５Ｅの周縁近傍（継手１７の外周面近傍）まで延びている。
【００２３】
図２および図３に示すように、外刃体２０は、使用者の鼻孔内への挿入に適した略円筒状の外刃２１が円錐台筒状の外刃フレーム２２の先端部に固定されて構成されている。外刃フレーム２２の基端部は、本体部１１（本体ケース１５）の先端部に設けた装着部１５Ａに外嵌されている。この場合、外刃フレーム２２の基端部の内周面には１８０°対向位置に一対の係止突起２２Ａが形成されている。一方、本体部１１側の装着部１５Ａの外周面には各突起２２Ａに対応した一対の係止溝１５Ｇ（図３参照）が形成されている。これら係止突起２２Ａおよび係止溝１５Ｇによる回転式の装着構造によって外刃フレーム２２（外刃体２０）が装着部１５Ａに対して着脱可能に装着されている。
【００２４】
図３に示すように、外刃２１は、略円筒状をなして先端側が若干内側に曲げられるとともに、その先端面中心から放射上に円筒状の側面側まで延びる複数のスリット２１Ａにて複数の櫛刃２１Ｂが形成されている。このような外刃体２０の内側（外刃２１および外刃フレーム２２の内側）は、内刃回転体２３を回転可能に収容する内刃収容凹部２０Ａとして構成されている。
【００２５】
内刃回転体２３は、略円柱状をなす内刃基台２５の先端側外周面には１８０°対向位置に金属プレートによりなる一対の内刃２４が装着されるとともに、内刃基台２５がモータ１６の回転軸１６Ａに継手１７を介して組み付けられる。内刃回転体２３は、外刃体２０の内刃収容凹部２０Ａ内に配置されるとともに、スプリング２６の付勢力により各内刃２４が外刃２１の内周面に押圧するようにて摺接する。
【００２６】
内刃基台２５の基端部には、１８０°対向位置に一対の把持片２５Ａが設けられている。各把持片２５Ａは、内刃基台２５の基端からＬ字状に延びるとともに、径方向外側に互いに反対向きに直線状に突出している。各把持片２５Ａの突出部分は断面矩形状をなしている。なお、この断面矩形状は、対向の２辺が内刃基台２５の回転方向に、もう一方の２辺が内刃基台２５の軸方向に沿う形状をなしている。各把持片２５Ａは、内刃基台２５（内刃回転体２３）を取り扱う際に使用者や組立作業者等の指つまみにて把持し易い形状となっている。
【００２７】
また、内刃基台２５に設けられる一対の把持片２５Ａは、自身の回転時に水流ファンとして機能する。詳述すると、内刃回転体２３（内刃基台２５）の装着状態において、その把持片２５Ａの基端部分の若干下側に前記本体ケース１５の排出孔１５Ｅの上面が位置するような把持片２５Ａと排出孔１５Ｅとの位置関係に設定されている。そして、内刃回転体２３の回転に基づいて把持片２５Ａが回転することで、導入孔となる外刃２１のスリット２１Ａから内部空間Ｘ、そして排出孔１５Ｅに向かう流体の流路が形成される。
【００２８】
図１および図３に示すように、シャッター部材１９には、本体ケース１５に取り付けられるとともに使用者が操作するためのリング状の操作部１９Ａが設けられている。この操作部１９Ａの先端側には、外刃フレーム２２と本体ケース１５との間に配置されるリング状の開閉部１９Ｂが設けられている。操作部１９Ａの表面には、凹凸形状が形成されている。開閉部１９Ｂには、軸方向（上下方向）において排出孔１５Ｅと対応する位置に設けられる貫通孔である連通部１９Ｃが設けられている。連通部１９Ｃは、平面視において矩形状に形成されるとともに、その周方向の幅は排出孔１５Ｅの周方向の幅よりも大きくなるように形成されている。
【００２９】
操作部１９Ａの表面における連通部１９Ｃと１８０°対向する位置には、操作部１９Ａの回転位置の基準を示す基準部１９Ｄ（図１参照）が設けられている。
外刃フレーム２２における排出孔１５Ｅと対応する位置およびこの位置から１８０°対向した位置には、位置表示部２２Ｂ（図１参照）がそれぞれ設けられている。本体ケース１５における排出孔１５Ｅと対応する位置には、排出孔１５Ｅと長手方向に隣接するように位置表示部１５Ｈが設けられている（図４（ｂ）参照）。
【００３０】
開閉部１９Ｂにおける操作部１９Ａとの接続部には、刃保護キャップ２７を保持する保持部１９Ｅが設けられている。保持部１９Ｅは、開閉部１９Ｂの他の部位よりも縮径した形状をなしている。保持部１９Ｅと対応する刃保護キャップ２７の位置には、保持部１９Ｅと嵌合する突起が設けられている。これにより、刃保護キャップ２７はシャッター部材１９に取り付けられるとともに保持される。
【００３１】
鼻毛カッター１０を使用する場合、スイッチ１４のオン操作に基づくモータ１６の駆動により、回転軸１６Ａとともに内刃回転体２３が回転し、内刃２４の切刃部２４Ａと外刃２１との間で鼻毛を挟み切るようになっている。鼻毛の毛屑は、凹設部１５Ｂおよび内刃収容凹部２０Ａにて構成される内部空間Ｘに捕集され、特に鼻毛カッター１０は外刃２１を上方に向けて使用するため、凹設部１５Ｂ内に多く捕集される。ちなみに、この使用時においては、排出孔１５Ｅからの鼻毛の毛屑のこぼれを防止すべく、該排出孔１５Ｅがシャッター部材１９にて閉状態とされて使用される。
【００３２】
図５および図６を参照して、シャッター部材１９の操作について説明する。
シャッター部材１９は、ダイヤル式の回転操作により、排出孔１５Eの開閉操作を行う。具体的には、使用者が操作部１９Ａを矢印Ｙ方向に向けて回転させることにより、操作部１９Ａとともに連通部１９Ｃが矢印Ｙ方向に向けて移動する。そして使用者は、排出孔１５Ｅを開状態とする場合には、操作部１９Ａの基準部１９Ｄ（図１参照）を位置表示部２２Ｂに一致するように操作部１９Ａを操作する。このとき、連通部１９Ｃがもう一つ別の位置表示部２２Ｂおよび本体ケース１５の位置表示部１５Ｈと一致する。一方、排出孔１５Ｅを閉状態とする場合には、基準部１９Ｄを位置表示部２２Ｂと異なるように操作部１９Ａを操作する。このとき、連通部１９Ｃがもう一つ別の位置表示部２２Ｂ，１５Ｈと異なる位置となる。これにより、排出孔１５Ｅが開状態となる場合には、図５に示すように、排出孔１５Ｅは内部空間Ｘと外部とを連通する状態となる。一方、排出孔１５Ｅが閉状態となる場合には、図６に示すように、開閉部１９Ｂにより内部空間Ｘと外部とは遮断された状態となる。このようなシャッター部材１９の回転操作により、シャッター部材１９が１回転よりも少ない回転量によって排出孔１５Ｅを開閉する。また、操作部１９Ａは、矢印Ｙ方向のみの回転を許容する。矢印Ｙ方向は、外刃フレーム２２が本体ケース１５に対して外れるように回転する方向とは反対方向であるとともに、把持部１３（図１参照）が本体ケース１５に対して外れるように回転する方向と同方向である。
【００３３】
図７および図８を参照して、鼻毛カッター１０の洗浄について説明する。
図７に示すように、使用時に閉状態としていた排出孔１５Ｅが開状態となるようにシャッター部材１９を操作し、外刃２１を上方に向けて洗浄液として例えば水道水Ｗを外刃２１のスリット２１Ａから導入する。これにより、水道水Ｗはスリット２１Ａを介して内部空間Ｘ（図３参照）を経ることで刃部１２の内部に蓄積された鼻毛の毛屑（内刃回転体２３（図３参照）や外刃フレーム２２（図３参照）の内周面等に付着した鼻毛の毛屑も含む）を洗浄しつつ排出孔１５Ｅから排出される。その際、鼻毛カッター１０を駆動して内刃回転体２３を回転させながら洗浄することで、外刃２１のスリット２１Ａから内部空間Ｘを経て排出孔１５Ｅに向けて強い水流が生じる。これにより、刃部１２の内部にある鼻毛の毛屑がより十分に水道水Ｗとともに外部に排出される。このとき、排出孔１５Ｅの開状態が全開状態ではなく、排出孔１５Ｅの開閉度合、すなわち排出孔１５Ｅと連通部１９Ｃ（図１参照）とが互いに重なる度合を調整してもよい。これにより、排出孔１５Ｅから排出される水道水Ｗの流量が調節される。
【００３４】
また、内刃回転体２３を回転させながらの洗浄は刃部１２の内部に強い水流を生じさせることができるため、図８に示すように、外刃２１を下方に向けて洗浄液（例えば水道水Ｗ）を吸い上げて排出孔１５Ｅから排出するような態様にて、刃部１２の内部の洗浄を行うこともできるようになっている。なお、洗浄液としては水道水Ｗに限らず、その洗浄に適した薬剤を混ぜた液体をしようしてもよい。
【００３５】
次に、本実施形態の特徴的な作用効果を記載する。
（１）本実施形態によれば、排出孔１５Eと連通部１９Ｃとの軸方向位置（上下方向位置）が互いに同じであるため、シャッター部材１９を１回転よりも少ない回転量にて排出孔１５Eと連通部１９Ｃとを互いに連通させることができる。したがって、鼻毛カッター１０の洗浄時、排出孔１５Ｅを開状態にするためのシャッター部材１９の回転動作を少なくすることができるため、鼻毛カッターの掃除を容易に行うことができる。
【００３６】
（２）本実施形態では、排出孔１５Ｅがスイッチ１４とは反対側に設けられている。これにより、図７および図８に示す鼻毛カッター１０の洗浄時において、排出孔１５Ｅから排出される水道水Ｗがスイッチ１４を操作する指等への付着を抑制でき、洗浄が行い易い。
【００３７】
（３）本実施形態では、本体ケース１５の排出孔１５Ｅよりも基端側に把持部１３が設けられている。したがって、排出孔１５Ｅと使用者の手とが互いに離間するため、図７および図８に示す鼻毛カッター１０の洗浄時において、本体ケース１５を把持する使用者の指等への水道水Ｗの付着を抑制でき、洗浄が行い易い。
【００３８】
（４）本実施形態では、刃保護キャップ２７をシャッター部材１９に取り付けた状態では、刃保護キャップ２７により排出孔１５Ｅが覆われる。これにより、鼻毛カッター１０の美観を向上することができる。
【００３９】
（５）本実施形態では、シャッター部材１９の操作部１９Ａの表面に凹凸形状が形成されている。これにより、使用者が操作部１９Ａの回転操作を行う際に、凹凸形状が指の滑り止めの役割を果たすようになるため、操作性を向上することができる。
【００４０】
（６）本実施形態では、シャッター部材１９の回転操作方向と外刃フレーム２２の取り外し回転方向とは反対方向となる。これにより、シャッター部材１９の回転操作に伴い、外刃フレーム２２が取り外し方向に回転することを抑制することができる。
【００４１】
（７）本実施形態によれば、操作部１９Ａに基準部１９Ｄが設けられるとともに外刃フレーム２２に位置表示部２２Ｂが設けられるため、使用者は基準部１９Ｄと位置表示部２２Ｂとを一致させることにより、排出孔１５Ｅを開状態とすることができる。したがって、使用者は、排出孔１５Ｅの位置を直接確認しなくても排出孔１５Ｅを開状態に操作することができるため、シャッター部材１９の操作性を向上することができる。
【００４２】
（８）本実施形態によれば、シャッター部材１９がダイヤル式の回転操作であるため、シャッター部材１９の周方向のどの位置においても使用者がシャッター部材１９を操作することができる。これにより、シャッター部材１９による排出孔１５Ｅの開閉操作を容易に行うことができる。
【００４３】
（９）本実施形態では、本体ケース１５には、排出孔１５Ｅが形成され、内刃基台２５には水流ファンとして機能する一対の把持片２５Ａが設けられている。そして、内刃回転体２３の回転による水流ファン（把持片２５Ａ）の回転により、水道水Ｗは、外刃２１のスリット２１Ａから内部空間Ｘを経て排出孔１５Ｅから排出されるようになる。これにより、単に流水等の導入だけよりも水流ファン部（把持片２５Ａ）の回転による洗浄液の強い水流を生じさせることができる。加えて、側壁部１５Ｆを設けたことで排出孔１５Ｅからの排出性をより向上することができる。その結果、洗浄性を向上することができる。
【００４４】
（その他の実施形態）
本発明の鼻毛カッターは、上記実施形態に限定されることなく、例えば以下の変更が可能である。また、以下の変形例は、上記実施形態についてのみ適用されるものでなく、異なる変形例同士を互いに組み合わせて実施することもできる。
【００４５】
・上記実施形態では、刃保護キャップ２７がシャッター部材１９に取り付けられたが、刃保護キャップ２７は本体ケース１５に取り付けることもできる。
・上記実施形態では、排出孔１５Ｅをスイッチ１４とは反対側に設けたが、この周方向位置はこれに限らず、適宜変更してもよい。また、排出孔１５Ｅの長手方向位置（上下方向位置）も図３の位置に限定されるものではなく、例えば把持片２５Ａと排出孔１５Ｅとを上下方向においてラップさせる位置とする等、適宜変更してもよい。
【００４６】
・上記実施形態では、排出孔１５Ｅを１つとしたが、排出孔１５Ｅは複数でもよい。
・上記実施形態では、把持片２５Ａを水流ファン部として兼用したが、個別に内刃基台２５に設けてもよい。また、把持片２５Ａに羽形状を形成してもよい。
【００４７】
・上記実施形態では、排出孔１５Ｅを本体ケース１５に設けたが、刃部１２（外刃フレーム２２）側に設けてもよい。
・上記実施形態では、操作部１９Ａの基準部１９Ｄを外刃フレーム２２の位置表示部２２Ｂに一致させることにより、排出孔１５Ｅを開状態としたが、操作部１９Ａの操作方法はこれに限定されることはない。例えば、本体ケース１５に位置表示部１５Ｈと連通部１９Ｃとを一致させるように操作部１９Ａを操作してもよい。これにより、基準部１９Ｄを用いなくとも、連通部１９Ｃを位置表示部１５Ｈのところに一致させるように操作部１９Ａを操作することにより、排出孔１５Ｅを開状態に操作することができる。
【符号の説明】
【００４８】
１０…鼻毛カッター、１３…把持部、１４…スイッチ（電源スイッチ）、１５…本体ケース（ケース部材）、１５Ｅ…排出孔、１６…モータ（駆動源）、１９…シャッター部材、１９Ｃ…連通部、１９Ｅ…保持部（キャップ保持部）、２１…外刃、２２…外刃フレーム（ケース部材）、２３…内刃回転体、２４…内刃、２５…内刃基台、２５Ａ…把持片（水流ファン部）、２７…刃保護キャップ、Ｘ…内部空間。
【図１】
2011200460.tif 000003
【図２】
2011200460.tif 000004
【図３】
2011200460.tif 000005
【図４】
2011200460.tif 000006
【図５】
2011200460.tif 000007
【図６】
2011200460.tif 000008
【図７】
2011200460.tif 000009
【図８】
2011200460.tif 000010